(57)【要約】  本発明は、無線ネットワークを基盤とした携帯型無線警光灯システム及び携帯型無線警光灯に関する。前記携帯型無線警光灯は、無線通信モジュールと、所定の情報をディスプレイさせる表示部と、非常状態を報知する非常報知部、少なくとも一つ以上の発光素子からなり、各発光素子には、生産機械、または、生産機械等のグループが割り当てられている発光部と、入力スイッチと、制御部と、を備える。前記制御部は、前記無線通信モジュールから受信された信号から、生産機械についての状態情報を抽出し、前記状態情報から異常が発生した生産機械についての情報を前記表示部にディスプレイさせ、前記非常報知部を動作させ、もし、特定の生産機械に異常が発生する場合、前記発光部の該当発光素子をオン(Ｏｎ)させることを特徴とし、前記入力スイッチが作動すると、前記非常報知部と発光部との作動を停止させる。
2008537201.tif 000002
【特許請求の範囲】
【請求項１】
外部に、または、外部から無線信号を送受信する無線通信モジュールと；
所定の情報をディスプレイさせる表示部と；
非常状態を報知する非常報知部と；
前記無線通信モジュールから受信された信号から生産機械についての状態情報を抽出し、前記状態情報から異常が発生した生産機械についての情報を前記表示部にディスプレイさせ、前記非常報知部を動作させる制御部と；を備え、
外部から受信される無線信号によって動作することを特徴とする無線ネットワークを基盤とした携帯型無線警光灯。
【請求項２】
前記非常報知部は、警報音発生部及び振動発生部の少なくとも一つ以上を備え、前記制御部は、生産機械に異常が発生した場合には、前記警報音発生部及び振動発生部を動作させることを特徴とする請求項１に記載の無線ネットワークを基盤とした携帯型無線警光灯。
【請求項３】
前記携帯型無線警光灯は、少なくとも一つ以上の発光素子からなる発光部を更に備え、前記発光素子の各々は、生産機械が割り当てられており、前記制御部は、特定の生産機械に異常が発生する場合、前記発光部の該当発光素子をオン(Ｏｎ)させることを特徴とする請求項１に記載の無線ネットワークを基盤とした携帯型無線警光灯。
【請求項４】
第１の無線通信モジュール、非常報知部及び制御部を含む携帯型無線警光灯と；
生産ラインの生産機械から生産機械についての状態情報を入力され、入力された状態情報を内部に装着された第２の無線通信モジュールを用いて外部に転送する少なくとも一つ以上の状態情報送信装置と；
前記携帯型無線警光灯と前記状態情報送信装置との最短経路をルーティングし、ルーティングされた最短経路を用いて、前記状態情報送信装置から転送された状態情報を転送する少なくとも一つ以上の無線ルータと；を備え、
前記携帯型無線警光灯の制御部は、前記第１の無線通信モジュールを介して、前記無線ルータから前記状態情報を転送され、前記状態情報から特定の生産機械に異常があるか否かが検出される場合、前記非常報知部を動作させることを特徴とする無線ネットワークを基盤とする携帯型無線警光灯システム。
【請求項５】
前記携帯型無線警光灯は、文字などをディスプレイさせることができる表示部を更に備え、前記携帯型無線警光灯の制御部は、前記状態情報から特定の生産機械に異常があるか否かが検出される場合、前記表示部上に、異常の可否が検出された該当生産機械についての情報をディスプレイさせることを特徴とする請求項４に記載の無線ネットワークを基盤とする携帯型無線警光灯システム。
【請求項６】
前記携帯型無線警光灯は、使用者により動作できる入力スイッチ部を更に備え、前記制御部は、前記入力スイッチが動作すると、前記非常報知部の動作を停止させることを特徴とする請求項４に記載の無線ネットワークを基盤とする携帯型無線警光灯システム。
【発明の詳細な説明】
【技術分野】
【０００１】
本発明は、無線ネットワークを基盤とする携帯型無線警光灯システムに関し、より具体的には、生産ラインの生産機械に異常があるか否かの状態を、リアルタイムに、いつどこでも分かるような無線ネットワークを基盤とする携帯型無線警光灯システムに関する。
【背景技術】
【０００２】
一般的な携帯型無線警光灯は、従来の警察の車、緊急護送車等で携帯しながら、主として非常時に車両の屋根上に設置して用いられたり、生産ラインなどで用いられる警光灯は、生産ラインの一定の場所に固定配置され、作業者が作動ボタンを押したり、外部から特定の信号が入力されたりすると、非常ベルが鳴るか、あるいは、ランプが繰り返して点滅することで、周辺の人々に非常状態が発生したことを報知することになる。
【０００３】
車両などに設置される前述した携帯型無線警光灯は、使用者が所持しながら、使用者が作動スイッチを直接操作しなければ動作しない煩わしさがあり、外部から信号を受信して動作することはできないという問題点がある。
【０００４】
一方、前述したように、生産ラインに設置される警光灯は、特定の場所に固定されて設置されることで、管理者が移動して該当警光灯から離れるか、あるいは、視野から外れる場合は、警光灯の作動を認識できない場合が生じることもある。また、新しい生産機械が生産ラインに設置される場合、前記警光灯に信号ケーブルを追加で設置しなければならない煩わしさがあり、生産機械の位置を変動する場合も、既存に設置された信号ケーブルを撤去し、再び設置しなければならない煩わしさが生じる。また、常に移動する生産機械である場合は、警光灯に信号を転送出来ないため、該当機械が誤作動するか、あるいは、異常が発生しても、管理者が把握するまでは多くの時間がかかり、適期に維持保守できないという問題点が生じる。
【発明の開示】
【発明が解決しようとする課題】
【０００５】
前述した問題点を解決するための本発明の目的は、維持保守及び設置が容易であり、生産機械の異常の発生状態をリアルタイムに管理者に報知できる、無線ネットワークを基盤とする携帯型無線警光灯システムを提供することにある。
【０００６】
本発明の他の目的は、前述した携帯型無線警光灯システムに使用可能な携帯型無線警光灯を提供することにある。
【課題を解決するための手段】
【０００７】
前述の技術的課題を達成するための本発明の特徴に係る携帯型無線警光灯は、外部に、または、外部から無線信号を送受信する無線通信モジュールと、所定の情報をディスプレイさせる表示部と、非常状態を報知する非常報知部と、少なくとも一つ以上の発光素子からなり、各発光素子には、生産機械、または、生産機械のグループが割り当てられている発光部と、入力スイッチと、前記無線通信モジュールから受信された信号から生産機械についての状態情報を抽出し、前記状態情報から異常が発生した生産機械についての情報を前記表示部にディスプレイさせ、前記非常報知部を動作させ、もし、特定の生産機械に異常が発生する場合、前記発光部の該当発光素子をオン(Ｏｎ)させることを特徴とし、前記入力スイッチが作動すると、前記非常報知部と発光部との作動を停止させることを特徴とする制御部と、を備える。
【０００８】
前述した特徴を持つ前記携帯型無線警光灯の前記非常報知部は、警報音発生部及び振動発生部の少なくとも一つ以上を備え、前記制御部は、生産機械に異常が発生した場合には、前記警報音発生部及び振動発生部を動作させることが望ましい。
【０００９】
本発明の他の特徴に係る無線ネットワークを基盤とする携帯型無線警光灯システムは、第１の無線通信モジュール、非常報知部及び制御部を含む携帯型無線警光灯と、生産ラインの生産機械から生産機械についての状態情報を入力され、入力された状態情報を、内部に装着されている第２の無線通信モジュールを用いて外部に転送する少なくとも一つ以上の状態情報送信装置と、前記携帯型無線警光灯と前記状態情報送信装置との最短経路をルーティングし、ルーティングされた最短経路を用いて前記状態情報送信装置から転送された状態情報を転送する少なくとも一つ以上の無線ルータと、を備え、前記携帯型無線警光灯の制御部は、前記第１の無線通信モジュールを介して、前記無線ルータから前記状態情報を転送され、前記状態情報から特定の生産機械に異常があるか否かが検出される場合、前記非常報知部を動作させる。
【００１０】
前述した特徴を持つ前記携帯型無線警光灯は、文字などをディスプレイさせることができる表示部と、使用者により作動され得る入力スイッチ部とを更に備え、前記携帯型無線警光灯の制御部は、前記状態情報から特定の生産機械に異常があるか否かが検出される場合、前記表示部上に、異常の可否が検出された該当生産機械についての情報をディスプレイさせ、前記制御部は、前記入力スイッチが作動されると、前記非常報知部の動作を停止させることが望ましい。
【発明の効果】
【００１１】
本発明によると、無線ネットワークを用いて携帯型無線警光灯を動作させることで、もし、生産機械に異常が発生した場合、管理者は、移動状態中でも、リアルタイムに異常の発生状態を確認できるようになり、その結果、迅速な維持保守が可能となる。
【００１２】
また、本発明に係る携帯型無線警光灯システムは、無線ネットワークを基盤とすることで、生産機械の位置が変更されるか、あるいは、追加で新しい装備が設置されても、別の信号ケーブルを設置することなく、簡単にネットワークに接続させることができるようになる。その結果、生産機械に対する維持保守が容易となり、管理費用も節減できるようになる。
【００１３】
また、本発明に係る携帯型無線警光灯システムは、無線ネットワークを基盤とすることで、固定の位置に設置された生産機械だけではなく、位置が移動する生産機械についても、常に異常があるか否かを確認できるようになる。
【００１４】
また、本発明によれば、管理者に、携帯型無線警光灯を通じて、視覚的、触覚的、聴覚的な様々な形態で生産機械に異常があるか否かを報知することによって、管理者は、いかなる状況でも異常の発生状態を正確に認知できるようになる。
【発明を実施するための最良の形態】
【００１５】
以下、添付の図面を参照して、本発明の望ましい実施例に係る無線ネットワークを基盤とする携帯型無線警光灯システムの構成及び動作を具体的に説明する。
【００１６】
図１は、本発明の望ましい実施例に係る携帯型無線警光灯システムを全体的に示した構成図である。図１を参照すれば、本発明の望ましい実施例に係る前記携帯型無線警光灯システム１０は、携帯型無線警光灯２０と、少なくとも一つ以上の状態情報送信装置１１０と、少なくとも一つ以上の無線ルータ１２０、１３０と、を含む。以下、前述した構成要素について具体的に説明する。
【００１７】
前記状態情報送信装置１１０は、生産ラインの生産機械に繋がれて前記生産機械から状態情報を入力される。また、状態情報送信装置１１０は、内部に第２の無線通信モジュールを備え、前記生産機械から入力された状態情報を、前記第２の無線通信モジュールを用いて、隣接した位置の無線ルータ１２０に転送する。ここで、前記状態情報は、該当機械についての識別情報、該当機械についての異常の可否についての情報などを含む。
【００１８】
多数個の無線ルータ１２０、１３０が生産ラインの現場に設置されており、内部に無線通信モジュール及びマイクロプロセッサーユニットなどを備え、隣接した位置の状態情報送信装置１１０から状態情報を受信したり、受信された状態情報を前記携帯型無線警光灯２０に転送したりする。この時、無線ルータは、前記携帯型無線警光灯２０までの最短経路をルーティングし、前記最短経路を用いて、前記状態情報を前記携帯型無線警光灯に転送する。
【００１９】
以下、図２を参照して、本発明の望ましい実施例に係る携帯型無線警光灯２０の構成及び動作を具体的に説明する。
【００２０】
図２を参照すれば、本発明の望ましい実施例に係る携帯型無線警光灯２０は、制御部２００と、第１の無線通信モジュール２１０と、警報音発生部２２０と、振動発生部２３０と、発光部２４０と、表示部２５０と、入力スイッチ２６０と、を含む。以下、前述した携帯型無線警光灯２０の構成要素について具体的に説明する。
【００２１】
前記制御部２００は、前記携帯型無線警光灯を構成する他の構成要素の動作を全体的に制御する。
【００２２】
前記第１の無線通信モジュール２１０は、前記無線ルータと信号とを送受信するようになり、前記無線ルータから受信される信号を前記制御部２００に転送する。第１及び第２の無線通信モジュールは、無線ルータと無線通信できる通信モジュールであって、無線ラン(ＷＬＡＮ)、ブルートゥース(Bluetooth)、ジグビー(Zigbee)通信モジュール等の１つが使用されることができ、その他にも、近距離無線通信を支援する通信モジュールが使用されることができる。
【００２３】
前記警報音発生部２２０は、スピーカーとアンプなどを含み、前記制御部からの動作制御信号によって非常音を出力する。
【００２４】
前記振動発生部２３０は、振動モーターなどを含み、前記制御部からの動作制御信号によって振動する。
【００２５】
前記発光部２４０は、多数個の発光素子からなり、それぞれの発光素子には、生産ラインの生産機械、または、生産機械等のグループが割り当てられるようにする。前記制御部は、特定の生産機械に対して異常が検出されると、該当生産機械が割り当てられた発光素子をターンオンさせることで、管理者に該当生産機械の異常状態を報知する。
【００２６】
前記発光部２４０を構成する発光素子は、発光ダイオード(ＬＥＤ)、または、小型のランプ(lamp)等を用いることができる。
【００２７】
前記表示部２５０には、液晶表示装置(ＬＣＤ)等を用いることができ、前記制御部から転送される所定の情報をディスプレイさせる。
【００２８】
前記入力スイッチ２６０は、管理者により動作できるスイッチであり、前記制御部は、前記入力スイッチが動作されると、前記警報音発生部、振動発生部、発光部の動作を停止させる。
【００２９】
一方、前記携帯型無線警光灯２０の制御部２００は、前述したように、前記第１の無線通信モジュールから任意の信号が受信されると、受信された信号から生産機械についての状態情報を抽出し、前記抽出された状態情報から異常が発生した生産機械についての情報を前記表示部２５０にディスプレイさせ、前記警報音発生部２２０を作動させて警報音を鳴らしたり、前記振動発生部２３０を作動させて携帯型無線警光灯を振動させたり、前記発光部２４０の発光素子の中、該当生産機械に割り当てられた発光素子をターンオンさせたりすることで、特定の生産機械に異常が発生したことを管理者に報知する。
【００３０】
そして、異常が発生したことを確認した管理者が、前記入力スイッチ２６０を操作して、前記制御部が前記入力スイッチからの信号を感知すると、前記振動発生部と、警報音発生部と、発光部との作動を停止させる。
【００３１】
以上、本発明に対して、その望ましい実施例を中心として説明したが、これは、単に例示だけであり、本発明を限定するものではなく、本発明が属する分野の通常の知識を有する者なら、本発明の本質的な特性を逸脱しない範囲において、以上で例示されていない種々の変形と応用が可能であることが分かるであろう。例えば、本発明の実施例において、警報音発生部や振動発生部の他にも、管理者に特定の生産機械に異常が発生したことを報知できる手段は、追加可能であり、このような非常報知手段は、様々に変形して実施できるものである。そして、このような変形と応用に関係された相違点は、添付の特許請求の範囲で規定する本発明の範囲に含まれるものと解釈されるべきである。
【産業上の利用可能性】
【００３２】
本発明に係る無線ネットワークを基盤とする携帯型無線警光灯システム及び携帯型無線警光灯は、工場自動化システム、生産工場や生産現場などに広く使用可能である。
【図面の簡単な説明】
【００３３】
【図１】図１は、本発明の望ましい実施例に係る携帯型無線警光灯システムを全体的に示した構成図である。
【図２】図２は、本発明の望ましい実施例に係る携帯型無線警光灯システムの携帯型無線警光灯を概略示したブロック図である。
【符号の説明】
【００３４】
２００  制御部
２１０  無線通信モジュール
２２０  警報音発生部
２３０  振動発生部
２４０  発光部
２５０  表示部
２６０  入力スイッチ
【図１】
2008537201.tif 000003
【図２】
2008537201.tif 000004
【国際調査報告】
2008537201.tif 000005
2008537201.tif 000006
2008537201.tif 000007